(57)【要約】      （修正有）【課題】キッチンや洗面台等に設けられた収納部の扉等に対して、様々な模様の化粧パネルを簡単に付け替えることができる化粧パネルキット及び化粧パネルの取付け構造を提供する。【解決手段】対象部１００の前面に着脱自在な化粧パネル２と、対象部１００に化粧パネル２を係止する一対の係止具１と、を備え、係止具１は、長さ方向に延びる第１片１１と、第１片１１に対して所定の間隔を置いて平行に延びる第２片１２と、第１片１１と第２片１２とを連結する連結片１０と、を備え、化粧パネル２は、対象部１００の前面と同じ形状の第１板２１と、第１板２１と同じ形状であって、第１板２１に対して所定の間隔を置いて平行に配置される第２板２２と、第１板２１と第２板２２とを連結する連結部２３と、を備える。【選択図】図３
0003200329.tif 000002
【実用新案登録請求の範囲】
【請求項１】
対象部（１００）の前面に着脱自在な化粧パネル（２）と、
前記対象部（１００）に前記化粧パネル（２）を係止する一対の係止具（１）と、を備えており、
前記係止具（１）は、
長さ方向に延びる第１片（１１）と、
前記第１片（１１）に対して所定の間隔を置いて平行に延びる第２片（１２）と、
前記第１片（１１）と前記第２片（１２）とを連結する連結片（１０）と、を備え、
前記化粧パネル（２）は、
前記対象部（１００）の前面と同じ形状の第１板（２１）と、
前記第１板（２１）と同じ形状であって、前記第１板（２１）に対して所定の間隔を置いて平行に配置される第２板（２２）と、
前記第１板（２１）と前記第２板（２２）とを連結する連結部（２３）と、を備え、
前記一対の係止具（１）は、
前記一対の係止具（１）の開口が互いに対向するように、前記対象部（１００）の一端及び他端に取り付けられ、
前記化粧パネル（２）は、
前記化粧パネル（２）の前記第１板（２１）又は前記第２板（２２）が、前記対象部（１００）に取り付けられた前記一対の係止具（１）の前記第１片（１１）と前記第２片（１２）との間に配置されて、前記一対の係止具（１）に係止される
ことを特徴とする化粧パネルキット。
【請求項２】
追加の前記係止具（１）を備え、
前記追加の係止具（１）は、前記対象部（１００）の一端から他端に向けて延びるように、前記対象部（１００）に取り付けられる
ことを特徴とする請求項１に記載の化粧パネルキット。
【請求項３】
対象部（１００）の前面に着脱自在な化粧パネル（２）と、
前記対象部（１００）に前記化粧パネル（２）を係止する一対の係止具（１）と、を備えており、
前記係止具（１）は、
長さ方向に延びる第１片（１１）と、
前記第１片（１１）に対して所定の間隔を置いて平行に延びる第２片（１２）と、
前記第１片（１１）と前記第２片（１２）とを連結する連結片（１０）と、を備え、
前記化粧パネル（２）は、
前記対象部（１００）の前面と同じ形状の第１板（２１）と、
前記第１板（２１）と同じ形状であって、前記第１板（２１）に対して所定の間隔を置いて平行に配置される第２板（２２）と、
前記第１板（２１）と前記第２板（２２）とを連結する連結部（２３）と、を備え、
前記一対の係止具（１）は、
前記一対の係止具（１）の開口が互いに対向するように、前記対象部（１００）の一端及び他端に取り付けられ、
前記化粧パネル（２）は、
前記化粧パネル（２）の前記第１板（２１）又は前記第２板（２２）が、前記対象部（１００）に取り付けられた前記一対の係止具（１）の前記第１片（１１）と前記第２片（１２）との間に配置されて、前記一対の係止具（１）に係止される
ことを特徴とする化粧パネルの取付け構造。
【請求項４】
追加の前記係止具（１）を備え、
前記追加の係止具（１）は、前記対象部（１００）の一端から他端に向けて延びるように、前記対象部（１００）に取り付けられる
ことを特徴とする請求項３に記載の化粧パネルの取付け構造。
【考案の詳細な説明】
【技術分野】
【０００１】
本考案は、キッチンや洗面台等に設けられた収納部の扉等に対して、様々な模様の化粧パネルを簡単に付け替えることができる化粧パネルキット及び化粧パネルの取付け構造に関する。
【背景技術】
【０００２】
長年使用されたキッチンや洗面台では、一般的に、収納部の扉等が非常に傷んでいる。特に、賃貸マンション等においては、多くの居住者が入れ替わるので、収納部の扉の傷みが大きいことがある。その場合、キッチンや洗面台の収納部の扉を修理又は交換する必要があるが、修理又は交換の費用が多額になることがある。
【０００３】
そこで、キッチンや洗面台の収納部の扉に化粧パネルを取り付けることが考えられる。化粧パネルを扉に取り付けると、扉の傷んだ部分が化粧パネルで覆われて隠れる。従来の化粧パネルの取付け方法は、例えば、特許文献１に開示されている。
【０００４】
従来の化粧パネルの取付け方法では、Ｌ字形の縁枠８を扉に取り付けて、縁枠８で化粧パネル９を係止する（符号については、特許文献１参照）。そのため、化粧パネル９を扉に取り付けると、縁枠８が隠れずに表れるので、化粧パネル９の意匠性が低下していた。
【先行技術文献】
【特許文献】
【０００５】
【特許文献１】特開２００１−１４９１４９号公報
【考案の概要】
【考案が解決しようとする課題】
【０００６】
そこで、本考案が解決しようとする課題は、化粧パネルの意匠性が低下せずに、化粧パネルを扉に着脱自在に取り付けることができる化粧パネルキット及び化粧パネルの取付け構造を提供することである。
【課題を解決するための手段】
【０００７】
上記の課題を解決するために、本考案に係る化粧パネルキットは、
対象部（１００）の前面に着脱自在な化粧パネル（２）と、
対象部（１００）に化粧パネル（２）を係止する一対の係止具（１）と、を備え、
係止具（１）は、
長さ方向に延びる第１片（１１）と、
第１片（１１）に対して所定の間隔を置いて平行に延びる第２片（１２）と、
第１片（１１）と第２片（１２）とを連結する連結片（１０）と、を備え、
化粧パネル（２）は、
対象部（１００）の前面と同じ形状の第１板（２１）と、
第１板（２１）と同じ形状であって、第１板（２１）に対して所定の間隔を置いて平行に配置される第２板（２２）と、
第１板（２１）と第２板（２２）とを連結する連結部（２３）と、を備え、
一対の係止具（１）は、
一対の係止具（１）の開口が互いに対向するように、対象部（１００）の一端及び他端に取り付けられ、
化粧パネル（２）は、
化粧パネル（２）の第１板（２１）又は第２板（２２）が、対象部（１００）に取り付けられた一対の係止具（１）の第１片（１１）と第２片（１２）との間に配置されて、一対の係止具（１）に係止される。
【０００８】
さらに、本考案に係る化粧パネルの取付け構造は、
対象部（１００）の前面に着脱自在な化粧パネル（２）と、
対象部（１００）に化粧パネル（２）を係止する一対の係止具（１）と、を備え、
係止具（１）は、
長さ方向に延びる第１片（１１）と、
第１片（１１）に対して所定の間隔を置いて平行に延びる第２片（１２）と、
第１片（１１）と第２片（１２）とを連結する連結片（１０）と、を備え、
化粧パネル（２）は、
対象部（１００）の前面と同じ形状の第１板（２１）と、
第１板（２１）と同じ形状であって、第１板（２１）に対して所定の間隔を置いて平行に配置される第２板（２２）と、
第１板（２１）と第２板（２２）とを連結する連結部（２３）と、を備え、
一対の係止具（１）は、
一対の係止具（１）の開口が互いに対向するように、対象部（１００）の一端及び他端に取り付けられ、
化粧パネル（２）は、
化粧パネル（２）の第１板（２１）又は第２板（２２）が、対象部（１００）に取り付けられた一対の係止具（１）の第１片（１１）と第２片（１２）との間に配置されて、一対の係止具（１）に係止される。
【０００９】
好ましくは、
追加の係止具（１）を備え、
追加の係止具（１）は、対象部（１００）の一端から他端に向けて延びるように、対象部（１００）に取り付けられる。
【考案の効果】
【００１０】
本考案に係る化粧パネルキット及び化粧パネルの取付け構造では、化粧パネルは、矩形状の第１板と、第１板と同じ形状であって、第１板に対して所定の間隔を置いて平行に配置される第２板と、を備える。さらに、化粧パネルは、化粧パネルの第１板又は第２板が、一対の係止具の第１片と第２片との間に配置されて、一対の係止具に係止される。
【００１１】
そのため、化粧パネルが係止具で係止されるとき、化粧パネルの第１板又は第２板が係止具を覆うので、係止具が隠れて表れない。その結果、本考案に係る化粧パネルキット及び化粧パネルの取付け構造では、化粧パネルの意匠性を低下させることがない。
【００１２】
さらに、化粧パネルの第１板及び第２板の表面に異なる模様を施すことで、化粧パネルの第１板を係止具に係止すると、化粧パネルの第２板の模様を表すことができる一方、化粧パネルの第２板を係止具に係止すると、化粧パネルの第１板の模様を表すことができる。即ち、化粧パネルをリバーシブルに使用できる。
【図面の簡単な説明】
【００１３】
【図１】キッチンを示す斜視図。
【図２】化粧パネル及び係止具を示す斜視図。
【図３】化粧パネル及び係止具を示す断面図。
【考案を実施するための形態】
【００１４】
以下、図面に基づいて、本考案に係る化粧パネルキット及び化粧パネルの取付け構造の一実施形態について説明する。
【００１５】
図１の通り、キッチンは、収納部に設けられた一対の扉（対象部）１００，１００を備える。一般的に、一対の扉１００，１００は、観音開きで構成されている。一対の扉１００，１００の前面に、化粧パネル２，２が着脱自在に取り付けられる。
【００１６】
図２及び図３の通り、化粧パネルキット及び化粧パネルの取付け構造は、扉１００に着脱自在な化粧パネル２と、扉１００に化粧パネル２を係止する係止具１と、を備える。一対の係止具１，１が、扉１００の上端と下端とに取り付けられる。さらに、追加の係止具１が、扉１００の右端に取り付けられる。
【００１７】
係止具１は、長さ方向に延びる第１片１１と、第１片１１に対して所定の間隔を置いて平行に延びる第２片１２と、第１片１１と第２片１２とを連結する連結片１０と、を備える。一対の係止具１は、扉１００の左右方向に延設される。追加の係止具１は、扉１００の上下方向に延設される。図３の通り、係止具１の第２片１２が、接着剤等を介して、扉１００に取り付けられる。
【００１８】
化粧パネル２は、扉１００の前面と同じ形状の第１板２１と、第１板２１と同じ形状であって、第１板２１に対して所定の間隔を置いて平行に配置される第２板２２と、第１板２１と第２板２２とを連結する連結部２３と、を備える。化粧パネル２は、その周端部において、第１板２１と第２板２２との間に所定の間隔が形成されるように構成される。そして、化粧パネル２の第１板２１と第２板２２との間に、係止具１の第１片１１が配置される。また、第１板２１及び第２板２２は、同じ大きさの矩形状からなる。
【００１９】
図３の通り、一対の係止具１，１は、一対の係止具１，１の開口が互いに対向するように、扉１００の上端及び下端に取り付けられる。そして、化粧パネル２の第２板２２が、扉１００に取り付けられた一対の係止具１，１の第１片１１と第２片１２との間（開口）に配置されるように、化粧パネル２を一対の係止具１，１の間に左右方向にスライドする。これにより、化粧パネル２の第２板２２が、一対の係止具１，１に係止される。さらに、化粧パネル２の第２板２２が、扉１００に取り付けられた追加の係止具１の第１片１１と第２片１２との間（開口）に配置されて、化粧パネル２は、追加の係止具１にも係止される。
【００２０】
上記の通り、化粧パネル２の第１板２１及び第２板２２は、同じ大きさからなるので、化粧パネル２が係止具１，１で係止されるとき、化粧パネル２の第１板２１が係止具１，１を覆い、係止具１，１が隠れて表れない。その結果、本考案に係る化粧パネルキット及び化粧パネルの取付け構造では、化粧パネル２の意匠性を低下させることがない。
【００２１】
さらに、化粧パネル２の第１板２１及び第２板２２の表面に異なる模様を施すことで、化粧パネル２の第１板２１を係止具１，１に係止すると、化粧パネル２の第２板２１の模様を表すことができる一方、化粧パネル２の第２板２１を係止具１，１に係止すると、化粧パネル２の第１板２１の模様を表すことができる。即ち、化粧パネル２をリバーシブルに使用できる。
【００２２】
なお、上記の実施形態では、キッチンの扉１００が、化粧パネル２及び係止具１の対象部であるが、洗面台の扉、キッチンの引き出し等が対象部１００であってもよい。
【符号の説明】
【００２３】
１  係止具
１０  連結片
１１  第１片
１２  第２片
２  化粧パネル
２１  第１板
２２  第２板
２３  連結部
１００  対象部（扉）
【図１】
0003200329.tif 000003
【図２】
0003200329.tif 000004
【図３】
0003200329.tif 000005